【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
高速下りリンク・パケット・アクセス（HSDPA）通信の方法であって：
複数のデータ・パケットを、該複数のデータ・パケットの内容を修正したり検査したりすることなく連結する段階と；
連結された複数のデータ・パケットに、前記複数のデータ・パケットのそれぞれのサイズの指標を含むヘッダを取り付けて拡大多重化データ・パケットを形成する段階と；
前記拡大多重化データ・パケットをリモート・ステーションに下りリンク・チャネル上で送信する段階とを有する、
方法。
【請求項２】
別個の信号伝達チャネルにおいて前記拡大多重化データ・パケットのサイズの指標を送信する段階をさらに有する、
請求項１記載の方法。
【請求項３】
別個の信号伝達チャネルにおいて前記指標を送信する前記段階が、高速共有制御チャネル（HS-SCCH）を使用する、請求項２記載の方法。
【請求項４】
複数のデータ・パケットを連結する前記段階が、複数のMAC-hsデータ・パケットを連結することを含む、請求項１ないし３のうちいずれか一項記載の方法。
【請求項５】
前記拡大多重化データ・パケットにパディング・ビットを追加してヘッダ・バイト整列した送信を形成する段階をさらに有する、
請求項１ないし４のうちいずれか一項記載の方法。
【請求項６】
前記拡大多重化データ・パケットにパディング・ビットを追加して前記多重化データ・パケットのサイズを許されるサイズ値にする段階をさらに有する、
請求項１ないし５のうちいずれか一項記載の方法。
【請求項７】
前記拡大多重化データ・パケットまたは一つもしくは複数のMAC-hsプロトコル・データ・ユニット（PDU）のいずれを指示するためにも同じサイズの指標が使われる、請求項１ないし６のうちいずれか一項記載の方法。
【請求項８】
単一のリモート・ステーションのために意図されたデータ・パケットの選択された複数の優先度待ち行列からの複数のデータ・パケットを連結する段階をさらに有する、
請求項１ないし７のうちいずれか一項記載の方法。
【請求項９】
単一のリモート・ステーションのために意図されたデータ・パケットの選択された単一の優先度待ち行列からの複数のデータ・パケットを連結する段階をさらに有する、
請求項１ないし８のうちいずれか一項記載の方法。
【請求項１０】
前記拡大多重化データ・パケットが複数の連結されたデータ・パケットを含むことを識別するために、前記拡大多重化データ・パケット・ヘッダ中にバージョン・フラグ・フィールドを設定する段階をさらに有する、
請求項１ないし９のうちいずれか一項記載の方法。
【請求項１１】
前記連結された複数のデータ・パケットにヘッダを取り付けて拡大多重化データ・パケットを形成する前記段階が、3GPP通信システムにおける通信のMACサブレイヤーを導入する、請求項１ないし１０のうちいずれか一項記載の方法。
【請求項１２】
高速下りリンク・パケット・アクセス（HSDPA）通信を生成するよう構成された基地局であって：
複数のデータ・パケットを、該複数のデータ・パケットの内容を修正したり検査したりすることなく連結する論理と；
連結された複数のデータ・パケットに、前記複数のデータ・パケットのそれぞれのサイズの指標を含むヘッダを取り付けて拡大多重化データ・パケットを形成する論理と；
複数のデータ・パケットを連結する前記論理に動作可能に結合され、前記拡大多重化データ・パケットをリモート・ステーションに下りリンク・チャネル上で送信するための送信機とを有する、
基地局。
【請求項１３】
前記拡大多重化データ・パケットのサイズを決定する論理と；
前記拡大多重化データ・パケットのサイズの指標を生成する論理と；
指標を生成する前記論理に動作可能に結合され、別個の信号伝達チャネルにおいて前記拡大多重化データ・パケットのサイズの指標を送信するよう動作可能な第二の送信機とをさらに有する、
請求項１２記載の基地局。
【請求項１４】
高速下りリンク・パケット・アクセス（HSDPA）通信を受信する方法であって：
下りリンク・チャネル上の拡大多重化データ・パケットを受信する段階であって、ここで、前記拡大多重化データ・パケットは複数の連結されたデータ・パケットを含む、段階と；
前記拡大多重化データ・パケットのヘッダをデコードする段階と；
デコードされたヘッダから前記複数のデータ・パケットのそれぞれのサイズの指標を決定する段階と；
複数のデータ・パケットの内容を検査する必要なしに前記拡大多重化データ・パケットからデータ・パケットを抽出することを容易にするために前記複数のデータ・パケットのそれぞれのサイズの前記指標を使う段階とを有する、
方法。
【請求項１５】
前記拡大多重化データ・パケットからパディング・ビットを除去する段階をさらに有する、
請求項１４記載の方法。
【請求項１６】
デコードされたヘッダから前記複数のデータ・パケットのそれぞれのサイズの指標を決定する前記段階が、前記拡大多重化データ・パケットまたは一つもしくは複数のMAC-hsプロトコル・データ・ユニット（PDU）のいずれを指示するためにも同じサイズの指標を使うことを含む、
請求項１４または１５記載の方法。
【請求項１７】
前記拡大多重化データ・パケットが複数の連結されたデータ・パケットを含むことを識別するために、前記拡大多重化データ・パケット中のバージョン・フラグ・フィールドをデコードする段階をさらに有する、
請求項１４ないし１６のうちいずれか一項記載の方法。
【請求項１８】
前記拡大多重化データ・パケットが、3GPP通信システムにおける通信のMACサブレイヤーを導入する、請求項１４ないし１７のうちいずれか一項記載の方法。
【請求項１９】
受信データ・パケットが複数の連結されたデータ・パケットを含む拡大多重化データ・パケットであるかどうかを判定し、それに応答して前記拡大多重化データ・パケットを分解する段階をさらに有する、
請求項１４ないし１８のうちいずれか一項記載の方法。
【請求項２０】
連結されたデータ・パケットの各組を並べ替え待ち行列分配実体に送る段階をさらに有する、請求項１４ないし１９のうちいずれか一項記載の方法。
【請求項２１】
高速下りリンク・パケット・アクセス（HSDPA）通信を受信するリモート・ステーションであって：
下りリンク・チャネル上の拡大多重化データ・パケットを受信するための受信機であって、ここで、前記拡大多重化データ・パケットは複数の連結されたデータ・パケットを含む、受信機と；
前記受信機に動作可能に結合され、前記拡大多重化データ・パケットのヘッダをデコードする論理と；
デコードされたヘッダから前記複数のデータ・パケットのそれぞれのサイズの指標を決定する論理と；
複数のデータ・パケットの内容を検査する必要なしに前記複数のデータ・パケットのそれぞれのサイズの指標を使って、受信された拡大多重化データ・パケットをデコードする論理とを有する、
リモート・ステーション。
【請求項２２】
高速下りリンク・パケット・アクセス（HSDPA）通信をサポートする通信システムであって、複数のリモート・ステーションと通信する少なくとも一つの基地局を有しており、前記基地局は：
複数のデータ・パケットを、該複数のデータ・パケットの内容を修正したり検査したりすることなく連結する論理と；
連結された複数のデータ・パケットにヘッダを取り付けて拡大多重化データ・パケットを形成する論理であって、前記ヘッダは、前記複数のデータ・パケットのそれぞれのサイズの指標を含む、論理と；
複数のデータ・パケットを連結する前記論理に動作可能に結合され、前記拡大多重化データ・パケットをリモート・ステーションに下りリンク・チャネル上で送信する送信機とを有し；
前記リモート・ステーションは：
前記拡大多重化データ・パケットを下りリンク・チャネル上で受信する受信機と；
前記受信機に動作可能に結合された、前記拡大多重化データ・パケットのヘッダをデコードするための論理と；
デコードされたヘッダから前記複数のデータ・パケットのそれぞれのサイズの指標を決定する論理と；
複数のデータ・パケットの内容を検査する必要なしに、前記複数のデータ・パケットのそれぞれのサイズの前記指標を使って、受信された拡大多重化データ・パケットをデコードする論理とを有する、
通信システム。
【請求項２３】
高速下りリンク・パケット・アクセス（HSDPA）通信を生成する実行可能プログラムを含むコンピュータ・プログラム・プロダクトであって：
複数のデータ・パケットを、該複数のデータ・パケットの内容を修正したり検査したりすることなく連結し；
連結された複数のデータ・パケットに、前記複数のデータ・パケットのそれぞれのサイズの指標を含むヘッダを取り付けて拡大多重化データ・パケットを形成し；
前記拡大多重化データ・パケットをリモート・ステーションに下りリンク・チャネル上で送信するためのプログラム・コードを有する、
コンピュータ・プログラム・プロダクト。
【請求項２４】
複数のデータ・パケットを、該複数のデータ・パケットの内容を修正したり検査したりすることなく連結するよう構成された連結論理と；
前記連結論理に動作可能に結合され、連結された複数のデータ・パケットに、前記複数のデータ・パケットのそれぞれのサイズの指標を含むヘッダを取り付けて拡大多重化データ・パケットを形成するための取り付け論理とを有する、
集積回路。
【請求項２５】
複数の連結されたデータ・パケットを含む拡大多重化データ・パケットを下りリンク・チャネル上で受信するための実行可能プログラム・コードを含むコンピュータ・プログラム・プロダクトであって：
複数の連結されたデータ・パケットを含む拡大多重化データ・パケットを下りリンク・チャネル上で受信し；
前記拡大多重化データ・パケットのヘッダをデコードし；
デコードされたヘッダから前記複数のデータ・パケットのそれぞれのサイズの指標を決定し；
複数のデータ・パケットの内容を検査する必要なしに、前記複数のデータ・パケットのそれぞれのサイズの前記指標を使って受信された拡大多重化データ・パケットをデコードするためのプログラム・コードを含む、
コンピュータ・プログラム・プロダクト。
【請求項２６】
複数の連結されたデータ・パケットを含む拡大多重化データ・パケットを下りリンク・チャネル上で受信するための受信機論理と；
前記受信機論理に動作可能に結合された、前記拡大多重化データ・パケットのヘッダをデコードするための論理と；
デコードされたヘッダから前記複数のデータ・パケットのそれぞれのサイズの指標を決定する論理と；
複数のデータ・パケットの内容を検査する必要なしに、前記複数のデータ・パケットのそれぞれのサイズの前記指標を使って受信された拡大多重化データ・パケットをデコードする論理とを有する、
集積回路。